(57)【要約】【課題】電子機器装置において、電源供給が瞬間的に断たれたときに、マイコンが異常状態にならないようにする。【解決手段】電子機器装置１は、マイコン６と、リセットＩＣ７と、電圧低下回路８とを備える。マイコン６は、ハイレベルの信号が入力されている状態からローレベルの信号が入力される状態に変化すると、動作をリセットし、ローレベルの信号が入力されている状態からハイレベルの信号が入力される状態に変化すると、起動処理を実行し、その後、通常処理を実行する。リセットＩＣ７は、所定電圧値未満の電圧が入力されているときには、マイコン６にローレベルの信号を入力し、所定電圧値以上の電圧が入力されているときには、マイコン６にハイレベルの信号を入力する。電圧低下回路８は、商用ＡＣ電源１０から電子機器装置１への電源供給が瞬間的に断たれたときに、リセットＩＣ７に入力される電圧を一時的に所定電圧値未満に低下させる。【選択図】図１
2012093978.tif 000002
【特許請求の範囲】
【請求項１】
マイコンと、マイコンをリセットするための信号を出力するリセットＩＣとを備え、商用電源からの電力供給を受けて動作する電子機器装置において、
前記マイコンは、
前記リセットＩＣからハイレベルの信号が入力されている状態からローレベルの信号が入力される状態に変化すると、動作をリセットし、
前記リセットＩＣからローレベルの信号が入力されている状態からハイレベルの信号が入力される状態に変化すると、起動処理を実行し、その後、通常処理を実行し、
前記リセットＩＣは、
所定電圧値未満の電圧が入力されているときには、前記マイコンにローレベルの信号を入力し、
所定電圧値以上の電圧が入力されているときには、前記マイコンにハイレベルの信号を入力し、
前記商用電源から本装置への電源供給が瞬間的に断たれたときに、前記リセットＩＣに入力される電圧を一時的に所定電圧値未満に低下させる電圧低下手段を備える、
ことを特徴とする電子機器装置。
【請求項２】
前記商用電源からの電源供給を受けて第１の電圧を生成する１次側電源回路と、
前記１次側電源回路により生成された電圧から第２の電圧を生成する２次側電源回路とをさらに備え、
前記マイコンは、前記２次側電源回路により生成された電圧によって動作し、
前記リセットＩＣには、前記２次側電源回路により生成された電圧が入力され、
前記電圧低下手段は、前記１次側電源回路により生成された電圧が低下したときに、前記リセットＩＣに入力される電圧を一時的に所定電圧値未満に低下させる、
ことを特徴とする請求項１に記載の電子機器装置。
【請求項３】
前記電圧低下手段は、第１の抵抗と、第２の抵抗と、シャントレギュレータと、フォトカプラとを有し、
前記第１の抵抗及び前記第２の抵抗は、前記１次側電源回路とグランドとの間に直列に接続され、
前記シャントレギュレータは、リファレンスが前記第１の抵抗と前記第２の抵抗との間に接続され、カソードが前記フォトカプラの発光ダイオードのカソードに接続され、アノードがグランドに接続され、
前記フォトカプラは、発光ダイオードのアノードが前記１次側電源回路により生成された電圧から電圧が降下した部分に接続され、発光ダイオードのカソードが前記シャントレギュレータのカソードに接続され、フォトトランジスタのコレクタが前記２次側電源回路に接続され、フォトトランジスタのエミッタが前記リセットＩＣに接続されている、
ことを特徴とする請求項２に記載の電子機器装置。
【発明の詳細な説明】
【技術分野】
【０００１】
本発明は、マイコンを備える電子機器装置に関するものである。
【背景技術】
【０００２】
従来から、液晶テレビなどの電子機器装置は、マイコンを備えており、マイコンによる制御のもと、動作するようになっている。また、このようなマイコンを備えた電子機器装置は、マイコンをリセットするためのリセットＩＣを備えている。
【０００３】
マイコンは、マイコンを動作させるための動作電圧が入力され、この動作電圧によって動作するようになっている。マイコンは、リセットＩＣからローレベルの信号が入力されている状態からハイレベルの信号が入力される状態に変化すると、起動処理を実行して、その後、通常処理を実行する。マイコンは、通常処理において、マイコンに入力される動作電圧によって動作して、電子機器装置の各部を制御する。
【０００４】
マイコンは、マイコンに入力される動作電圧が正常電圧値（例えば３．３ｖ）から低下すると、正常に動作しなくなって、異常状態になることがある。マイコンは、一旦、異常状態になると、マイコンに入力される動作電圧が正常電圧値に復帰しても、正常に動作する状態に復帰しない。異常状態になったマイコンを正常に動作する状態に復帰させるには、マイコンをリセットしなければならない。
【０００５】
マイコンは、リセットＩＣからハイレベルの信号が入力されている状態からローレベルの信号が入力される状態に変化すると、動作をリセットする。そして、その後に、リセットＩＣからローレベルの信号が入力されている状態からハイレベルの信号が入力される状態に変化すると、上記と同様に、起動処理を実行して、その後、通常処理を実行（正常に動作する状態に復帰）する。
【０００６】
リセットＩＣは、リセットＩＣを動作させるための動作電圧が入力され、この動作電圧によって動作するようになっている。リセットＩＣは、動作電圧として、所定電圧値（例えば１．８ｖ）未満の電圧が入力されているときには、マイコンにローレベルの信号を入力し、動作電圧として、所定電圧値以上の電圧が入力されているときには、マイコンにハイレベルの信号を入力する。
【０００７】
一方、パワーオンリセット回路が、直流電源装置の入力電圧の低下を検出して、マイコンをリセットするようにした装置が知られている（例えば特許文献１参照）。また、１次側電圧の設定電圧以下の低下から２次側電圧が許容範囲より低下するまでの時間の後に、ＣＰＵにリセット信号を入力するようにした装置が知られている（例えば特許文献２参照）。また、起動時に、起動時給電回路を経由して供給される電力が、瞬断対策回路に流れるのを阻止するようにした装置が知られている（例えば特許文献３参照）。
【先行技術文献】
【特許文献】
【０００８】
【特許文献１】特開平２−１８９６１３号公報
【特許文献２】特開昭６２−１５５７２１号公報
【特許文献３】特開２００７−１７４５１０号公報
【発明の概要】
【発明が解決しようとする課題】
【０００９】
ところで、上述した従来の電子機器装置において、装置への電源供給が瞬間的に断たれると（装置への電源供給が瞬停すると）、マイコンに入力される動作電圧（マイコンを動作させるための動作電圧）、及びリセットＩＣに入力される動作電圧（リセットＩＣを動作させるための動作電圧）が一時的に（瞬間的に）低下する。
【００１０】
このとき、マイコンに入力される動作電圧が正常電圧値（例えば３．３ｖ）より低下して、マイコンが異常状態になったにもかかわらず、リセットＩＣに入力される動作電圧が所定電圧値（例えば１．８ｖ）未満になる前に、マイコンに入力される動作電圧が正常電圧値に復帰すると共に、リセットＩＣに入力される動作電圧が所定電圧値以上に復帰することがある。
【００１１】
このような場合、リセットＩＣは、リセットＩＣに入力される動作電圧が所定電圧値未満に低下していないので、マイコンにハイレベルの信号を入力し続けている。すなわち、このような場合、マイコンは、異常状態になったまま、リセットされない状態になってしまう。つまり、マイコンの異常状態が解除されない状態（いわゆるラッチ状態）になってしまう。
【００１２】
本発明は、上記課題を解決するためになされたものであり、電源供給が瞬間的に断たれたときに、マイコンが異常状態にならないようにすることができる電子機器装置を提供することを目的とする。
【課題を解決するための手段】
【００１３】
上記目的を達成するために請求項１の発明は、マイコンと、マイコンをリセットするための信号を出力するリセットＩＣとを備え、商用電源からの電力供給を受けて動作する電子機器装置において、マイコンは、リセットＩＣからハイレベルの信号が入力されている状態からローレベルの信号が入力される状態に変化すると、動作をリセットし、リセットＩＣからローレベルの信号が入力されている状態からハイレベルの信号が入力される状態に変化すると、起動処理を実行し、その後、通常処理を実行し、リセットＩＣは、所定電圧値未満の電圧が入力されているときには、マイコンにローレベルの信号を入力し、所定電圧値以上の電圧が入力されているときには、マイコンにハイレベルの信号を入力し、商用電源から本装置への電源供給が瞬間的に断たれたときに、リセットＩＣに入力される電圧を一時的に所定電圧値未満に低下させる電圧低下手段を備えるものである。
【００１４】
請求項２の発明は、請求項１に記載の電子機器装置において、商用電源からの電源供給を受けて第１の電圧を生成する１次側電源回路と、１次側電源回路により生成された電圧から第２の電圧を生成する２次側電源回路とをさらに備え、マイコンは、２次側電源回路により生成された電圧によって動作し、リセットＩＣには、２次側電源回路により生成された電圧が入力され、電圧低下手段は、１次側電源回路により生成された電圧が低下したときに、リセットＩＣに入力される電圧を一時的に所定電圧値未満に低下させるものである。
【００１５】
請求項３の発明は、請求項２に記載の電子機器装置において、電圧低下手段は、第１の抵抗と、第２の抵抗と、シャントレギュレータと、フォトカプラとを有し、第１の抵抗及び第２の抵抗は、１次側電源回路とグランドとの間に直列に接続され、シャントレギュレータは、リファレンスが第１の抵抗と第２の抵抗との間に接続され、カソードがフォトカプラの発光ダイオードのカソードに接続され、アノードがグランドに接続され、フォトカプラは、発光ダイオードのアノードが１次側電源回路により生成された電圧から電圧が降下した部分に接続され、発光ダイオードのカソードがシャントレギュレータのカソードに接続され、フォトトランジスタのコレクタが２次側電源回路に接続され、フォトトランジスタのエミッタがリセットＩＣに接続されているものである。
【発明の効果】
【００１６】
請求項１乃至請求項３の発明によれば、本装置への電源供給が瞬間的に断たれたときには、電圧低下手段によって、リセットＩＣに入力される電圧が一時的に所定電圧値未満に低下させられる。これにより、本装置への電源供給が瞬間的に断たれたときには、リセットＩＣは、マイコンにハイレベルの信号を入力している状態から、一時的にマイコンにローレベルの信号を入力する状態になり、その後、再びマイコンにハイレベルの信号を入力する状態になる。この結果、本装置への電源供給が瞬間的に断たれたときには、マイコンは、一旦、動作をリセットして、再び、起動処理及び通常処理を実行することになる。従って、本装置への電源供給が瞬間的に断たれたときに、マイコンが異常状態になったままリセットされない状態になることがなく、マイコンが異常状態にならないようにすることができる。
【図面の簡単な説明】
【００１７】
【図１】本発明の一実施形態に係る電子機器装置の電源に係る部分の構成を示す電気回路図。
【発明を実施するための形態】
【００１８】
以下、本発明を具体化した実施形態による電子機器装置について図面を参照して説明する。図１は、本実施形態による例えば液晶テレビやＤＶＤレコーダ等の電子機器装置の電源に係る部分の構成を示す。
【００１９】
電子機器装置１は、商用ＡＣ電源１０からの電力供給を受けて動作する装置であり、１次側（電源側）電源電圧Ｖ１（第１の電圧）を生成するための１次側電源回路２と、２次側（システム側）電源電圧Ｖ２（第２の電圧）を生成するためのトランス３と、スイッチング回路４と、２次側電源回路５とを備える。また、電子機器装置１は、電子機器装置１の動作を制御するマイコン６と、マイコン６をリセットするためのリセットＩＣ７と、マイコン６が異常状態にならないようにするための電圧低下回路８とを備える。
【００２０】
１次側電源回路２は、電圧を整流するダイオードブリッジ回路２１と、電圧を平滑化するコンデンサ２２とを有する。１次側電源回路２は、ＡＣコンセント２ａが商用ＡＣ電源１０に接続されることにより、商用ＡＣ電源１０からＡＣコンセント２ａを介して交流の電源供給を受ける。そして、１次側電源回路２は、商用ＡＣ電源１０からの電源供給を受けて、商用ＡＣ電源１０からの交流電圧をダイオードブリッジ回路２１により整流すると共にコンデンサ２２により平滑化することによって、直流電圧の１次側電源電圧Ｖ１を生成する。
【００２１】
トランス３は、１次側コイル３１及び２次側コイル３２を有する。スイッチング回路４は、１次側電源回路２により生成された１次側電源電圧Ｖ１をトランス３の１次側コイル３１に供給する。また、スイッチング回路４は、トランス３の１次側コイル３１に供給する１次側電源電圧Ｖ１を所定の周波数でスイッチングする。すなわち、スイッチング回路４は、トランス３の１次側コイル３１に１次側電源電圧Ｖ１を供給する状態と、トランス３の１次側コイル３１に１次側電源電圧Ｖ１を供給しない状態とに、所定の周波数で交互に切替える。スイッチング回路４とトランス３の１次側コイル３１との間には、抵抗４１、ダイオード４２、及びコンデンサ４３が接続されている。２次側電源回路５は、トランス３の２次側コイル３２から出力される交流電圧を整流及び平滑化することによって、１次側電源回路２により生成された１次側電源電圧Ｖ１から、直流電圧の２次側電源電圧Ｖ２を生成する。
【００２２】
マイコン６は、マイコン６を動作させるための動作電圧が入力される電源端子６１と、マイコン６をリセットするための信号が入力されるリセット端子６２とを有する。また、マイコン６は、不図示のリモコンからの操作信号が入力される操作信号端子６３と、電子機器装置１のシステム側の各部（不図示のチューナや液晶パネル等）を制御するための制御信号を出力する制御信号端子６４、６５とを有している。また、マイコン６は、電子機器装置１の動作を制御するためのソフトウェアを記憶している。
【００２３】
マイコン６は、電源端子６１から入力される動作電圧によって動作する。マイコン６は、リセット端子６２に入力されている信号がローレベルからハイレベルに変化すると、起動処理を実行し、その後、通常処理を実行する。マイコン６は、通常処理において、電源端子６１から入力される動作電圧によって動作し、記憶しているソフトウェア及び操作信号端子６３から入力される操作信号に基いて、制御信号端子６４、６５から制御信号を出力することにより、電子機器装置１のシステム側の各部の動作を制御する。
【００２４】
また、マイコン６は、リセット端子６２に入力されている信号がハイレベルからローレベルに変化すると、リセットする。そして、その後にリセット端子６２に入力されている信号がハイレベルに変化すると（リセット端子６２に入力されている信号がローレベルからハイレベルに変化すると）、リセット解除して、上記と同様に、起動処理を実行し、その後、通常処理を実行する。
【００２５】
リセットＩＣ７は、リセットＩＣ７を動作させるための動作電圧が入力される電源端子７１と、マイコン６をリセットするための信号を出力する信号出力端子７２とを有する。リセットＩＣ７は、電源端子７１に入力される動作電圧の電圧値に応じて、マイコン６をリセットするための信号を信号出力端子７２から出力する。すなわち、リセットＩＣ７は、電源端子７１に所定電圧値未満の電圧が入力されているときには、ローレベルの信号を信号出力端子７２から出力し、電源端子７１に所定電圧値以上の電圧が入力されているときには、ハイレベルの信号を信号出力端子７２から出力する。
【００２６】
マイコン６の電源端子６１は、２次側電源回路５の電圧出力ライン５１に接続されている。すなわち、マイコン６の電源端子６１には、マイコン６を動作させるための動作電圧として、２次側電源回路５により生成された２次側電源電圧Ｖ２が入力され、マイコン６は、２次側電源回路５により生成された２次側電源電圧Ｖ２によって動作する。
【００２７】
また、マイコン６のリセット端子６２は、リセットＩＣ７の信号出力端子７２に接続されている。すなわち、マイコン６のリセット端子６２には、リセットＩＣ７の信号出力端子７２から出力された信号が入力される。つまり、リセットＩＣ７は、電源端子７１に所定電圧値未満の電圧が入力されているときには、マイコン６のリセット端子６２にローレベルの信号を入力し、電源端子７１に所定電圧値以上の電圧が入力されているときには、マイコン６のリセット端子６２にハイレベルの信号を入力する。従って、マイコン６は、リセットＩＣ７の信号出力端子７２からリセット端子６２にハイレベルの信号が入力されている状態から、リセットＩＣ７の信号出力端子７２からリセット端子６２にローレベルの信号が入力される状態に変化すると、動作をリセットする。また、マイコン６は、リセットＩＣ７の信号出力端子７２からリセット端子６２にローレベルの信号が入力されている状態から、リセットＩＣ７の信号出力端子７２からリセット端子６２にハイレベルの信号が入力される状態に変化すると、起動処理を実行し、その後、通常処理を実行する。
【００２８】
電圧低下回路８は、第1の抵抗８１と、第2の第２の抵抗８２と、シャントレギュレータ８３と、フォトカプラ８４とを有する。フォトカプラ８４は、発光ダイオード８４ａとフォトトランジスタ８４ｂとによって構成されている。
【００２９】
第1の抵抗８１及び第２の抵抗８２は、１次側電源回路２とグランドとの間に直列に接続されている。第1の抵抗８１は、一端側が１次側電源回路２のコンデンサ２２に接続され、他端側が第２の抵抗８２に接続されている。第２の抵抗８２は、一端側が第1の抵抗８１に接続され、他端側がグランドに接続されている。すなわち、第1の抵抗８１と第２の抵抗８２は、１次側電源回路２のコンデンサ２２とグランドとの間に直列に接続されている。コンデンサ２２には、１次側電源回路２により生成された１次側電源電圧Ｖ１がかかっている。
【００３０】
シャントレギュレータ８３は、リファレンスが第1の抵抗８１と第２の抵抗８２との間に接続され、カソードがフォトカプラ８４の発光ダイオード８４ａのカソードに接続され、アノードがグランドに接続されている。発光ダイオード８４ａのカソードとシャントレギュレータ８３のカソードとの間には、抵抗８５が接続されている。すなわち、シャントレギュレータ８３のカソードは、抵抗８５を介して、フォトカプラ８４の発光ダイオード８４ａのカソードに接続されている。シャントレギュレータ８３のリファレンスには、１次側電源電圧Ｖ１を第1の抵抗８１と第２の抵抗８２により分圧した電圧が入力される。
【００３１】
フォトカプラ８４は、発光ダイオード８４ａのアノードがコンデンサ４３（１次側電源回路２により生成された１次側電源電圧Ｖ１からある電圧値だけ電圧が降下した部分）に接続され、発光ダイオード８４ａのカソードが（抵抗８５を介して）シャントレギュレータ８３のカソードに接続されている。発光ダイオード８４ａのアノードとカソードとの間には、抵抗８６が接続されている。すなわち、発光ダイオード８４ａと並列に抵抗８６が接続されている。コンデンサ４３には、１次側電源電圧Ｖ１からある電圧値だけ電圧降下した電圧Ｖ３がかかっている。発光ダイオード８４ａのアノードには、１次側電源電圧Ｖ１からある電圧値だけ電圧降下した電圧Ｖ３が入力される。
【００３２】
また、フォトカプラ８４は、フォトトランジスタ８４ｂのコレクタが２次側電源回路５の電圧出力ライン５１に接続され、フォトトランジスタ８４ｂのエミッタがリセットＩＣ７の電源端子７１に接続されている。フォトトランジスタ８４ｂのエミッタとリセットＩＣ７の電源端子７１との間には、抵抗８７が接続されている。すなわち、フォトトランジスタ８４ｂのエミッタは、抵抗８７を介して、リセットＩＣ７の電源端子７１に接続されている。フォトトランジスタ８４ｂのコレクタには、２次側電源回路５により生成された２次側電源電圧Ｖ２が入力される。リセットＩＣ７の電源端子７１には、リセットＩＣ７を動作させるための動作電圧として、２次側電源電圧Ｖ２がフォトトランジスタ８４ｂ及び抵抗８７を介して入力される。
【００３３】
このような構成の電圧低下回路８は、シャントレギュレータ８３のリファレンスに入力される電圧が基準電圧値（例えば２．５ｖ）未満のときには、シャントレギュレータ８３のカソード、アノード間が導通せず、フォトカプラ８４がオフになる（発光ダイオード８４ａが発光せず、フォトトランジスタ８４ｂが導通しない）。一方、シャントレギュレータ８３のリファレンスに入力される電圧が基準電圧値以上のときには、シャントレギュレータ８３のカソード、アノード間が導通し、フォトカプラ８４がオンになる（発光ダイオード８４ａが発光して、フォトトランジスタ８４ｂが導通する）。
【００３４】
フォトトランジスタ８４ｂが導通していないとき（フォトカプラ８４がオフのとき）には、リセットＩＣ７の電源端子７１には、動作電圧が入力されない。フォトトランジスタ８４ｂが導通しているとき（フォトカプラ８４がオンのとき）には、リセットＩＣ７の電源端子７１には、動作電圧として、２次側電源電圧Ｖ２がフォトトランジスタ８４ｂ及び抵抗８７を介して入力される。つまり、フォトトランジスタ８４ｂが導通しているときには、リセットＩＣ７の電源端子７１には、動作電圧として、２次側電源電圧Ｖ２がフォトトランジスタ８４ｂ及び抵抗８７によって電圧降下した電圧が入力される。
【００３５】
シャントレギュレータ８３のリファレンスには、１次側電源電圧Ｖ１が正常閾値（正常電圧値（例えば１２０ｖ）よりもある電圧値だけ低い電圧値）以上のときに、基準電圧値（例えば２．５ｖ）以上の電圧が入力され、１次側電源電圧Ｖ１が正常閾値未満のときに、基準電圧値未満の電圧が入力されるようになっている。そうなるように、第１の抵抗８１と第２の抵抗８２の抵抗値が設定されている。
【００３６】
すなわち、電圧低下回路８は、１次側電源電圧Ｖ１が正常閾値以上のときに、リセットＩＣ７の電源端子７１に動作電圧を入力すると共に、１次側電源電圧Ｖ１が正常閾値未満のときに、リセットＩＣ７の電源端子７１に動作電圧を入力しないように動作する。
【００３７】
リセットＩＣ７の電源端子７１には（フォトトランジスタ８４ｂが導通している状態において）、２次側電源電圧Ｖ２が動作閾値（正常電圧値（例えば３．３ｖ）よりもある電圧値だけ低い電圧値）以上のときに、所定電圧値（例えば１．８ｖ）以上の動作電圧が入力され、２次側電源電圧Ｖ２が動作閾値未満のときに、所定電圧値未満の動作電圧が入力されるようになっている。そうなるように、抵抗８７の抵抗値が設定されている。
【００３８】
このような構成の電子機器装置１において、電子機器装置１に電源が投入されていないときには（ＡＣコンセント２ａが商用ＡＣ電源１０に接続されていないときには）、１次側電源回路２により１次側電源電圧Ｖ１が生成されず、また、２次側電源回路５により２次側電源電圧Ｖ２が生成されない。
【００３９】
従って、電子機器装置１に電源が投入されていないときには、シャントレギュレータ８３のリファレンスに入力される電圧は、基準電圧値未満であり、シャントレギュレータ８３のカソード、アノード間は、導通せず、フォトカプラ８４は、オフになり、リセットＩＣ７の電源端子７１には、動作電圧が入力されない。
【００４０】
電子機器装置１に電源が投入されると（ＡＣコンセント２ａが商用ＡＣ電源１０に接続されると）、１次側電源回路２により１次側電源電圧Ｖ１が生成され、２次側電源回路５により２次側電源電圧Ｖ２が生成される。
【００４１】
１次側電源回路２により生成される１次側電源電圧Ｖ１が正常電圧値になると、２次側電源回路５により生成される２次側電源電圧Ｖ２も正常電圧値になる。また、１次側電源電圧Ｖ１が正常電圧値になると、シャントレギュレータ８３のリファレンスに入力される電圧は、基準電圧値以上になり、シャントレギュレータ８３のカソード、アノード間は、導通し、フォトカプラ８４は、オンになり、リセットＩＣ７の電源端子７１には、所定電圧値以上の動作電圧が入力される。
【００４２】
これにより、リセットＩＣ７は、電源端子７１に動作電圧が入力されていない状態（電源端子７１に所定電圧値未満の動作電圧が入力されている状態）から、電源端子７１に所定電圧値以上の動作電圧が入力される状態に変化する。従って、リセットＩＣ７は、信号出力端子７２からローレベルの信号を出力している状態から、信号出力端子７２からハイレベルの信号を出力する状態に変化する。この結果、マイコン６は、リセット端子６２にローレベルの信号が入力されている状態から、リセット端子６２にハイレベルの信号が入力される状態に変化する。
【００４３】
従って、電子機器装置１に電源が投入されると、マイコン６は、リセット端子６２にローレベルの信号が入力されている状態から、リセット端子６２にハイレベルの信号が入力される状態に変化することにより、起動処理を行って、通常処理を開始する。
【００４４】
電子機器装置１への電源供給が瞬間的に断たれた場合（商用ＡＣ電源１０に瞬停が生じた場合）、１次側電源回路２により生成される１次側電源電圧Ｖ１は、一時的に正常電圧値から低下した後、再び正常電圧値に復帰し、２次側電源回路５により生成される２次側電源電圧Ｖ２も、一時的に正常電圧値から低下した後、再び正常電圧値に復帰する。
【００４５】
このとき、１次側電源電圧Ｖ１が一時的に正常電圧値から低下した後に再び正常電圧値に復帰することにより、シャントレギュレータ８３のリファレンスに入力される電圧は、一時的に基準電圧値未満になった後、再び基準電圧値以上に復帰する。従って、シャントレギュレータ８３のカソード、アノード間は、一時的に導通しなくなった後、再び導通し、フォトカプラ８４は、一時的にオフになった後に、再びオンになり、リセットＩＣ７の電源端子７１には、一時的に動作電圧が入力されなくなった後（入力される動作電圧が一時的に所定電圧値未満になった後）に、再び所定電圧値以上の動作電圧が入力される。つまり、電圧低下回路８は、電子機器装置１への電源供給が瞬間的に断たれたときに、リセットＩＣ７の電源端子７１に入力される動作電圧を一時的に所定電圧値未満に低下させる。
【００４６】
これにより、リセットＩＣ７は、電源端子７１に所定電圧値以上の動作電圧が入力されている状態から、一時的に電源端子７１に所定電圧値未満の動作電圧が入力される状態になった後、再び電源端子７１に所定電圧値以上の動作電圧が入力される状態になる。従って、リセットＩＣ７は、信号出力端子７２からハイレベルの信号を出力している状態から、一時的に信号出力端子７２からローレベルの信号を出力する状態に変化した後、再び信号出力端子７２からハイレベルの信号を出力する状態に変化する。この結果、マイコン６は、リセット端子６２にハイレベルの信号が入力されている状態から、一時的にリセット端子６２にローレベルの信号が入力される状態に変化した後、再びリセット端子６２にハイレベルの信号が入力される状態に変化する。
【００４７】
従って、電子機器装置１への電源供給が瞬間的に断たれた場合、マイコン６は、リセット端子６２にハイレベルの信号が入力されている状態から、リセット端子６２にローレベルの信号が入力される状態に変化することにより、動作をリセットし、その後、再びリセット端子６２にハイレベルの信号が入力される状態に変化することにより、起動処理を行って、通常処理を再開する。
【００４８】
このような構成の電子機器装置１によれば、商用ＡＣ電源１０から電子機器装置１への電源供給が瞬間的に断たれたときには、電圧低下回路８によって、リセットＩＣ７に入力される電圧が一時的に所定電圧値未満に低下させられる。これにより、商用ＡＣ電源１０から電子機器装置１への電源供給が瞬間的に断たれたときには、リセットＩＣ７は、マイコン６にハイレベルの信号を入力している状態から、一時的にマイコン６にローレベルの信号を入力する状態になり、その後、再びマイコン６にハイレベルの信号を入力する状態になる。この結果、商用ＡＣ電源１０から電子機器装置１への電源供給が瞬間的に断たれたときには、マイコン６は、一旦、動作をリセットして、再び、起動処理及び通常処理を実行することになる。従って、商用ＡＣ電源１０から電子機器装置１への電源供給が瞬間的に断たれたときに、マイコン６が異常常態になったままリセットされない状態になることがなく、マイコン６が異常状態にならないようにすることができる。
【００４９】
なお、本発明は、上記実施形態の構成に限られず、種々の変形が可能である。例えば、電圧低下回路の第１の抵抗は、１次側電源回路のコンデンサに限られず、他の箇所に接続されていてもよい。電圧低下回路のフォトカプラの発光ダイオードは、スイッチング回路とトランスの１次側コイルとの間に接続されているコンデンサに限られず、他の箇所に接続されていてもよい。また、電圧低下回路は、上記実施形態の構成のものに限られず、他の構成のものであってもよい。また、本発明は、液晶テレビやＤＶＤレコーダに限られず、マイコン及びリセットＩＣを備える電子機器であれば、どのような電子機器にも適用可能である。
【符号の説明】
【００５０】
１    電子機器装置
２    １次側電源回路
２ａ    ＡＣコンセント
３    トランス
４    スイッチング回路
５    ２次側電源回路
６    マイコン
７    リセットＩＣ
８    電圧低下回路
１０    商用ＡＣ電源
２１    ダイオードブリッジ回路
２２    コンデンサ
３１    １次側コイル
３２    ２次側コイル
４１    抵抗
４２    ダイオード
４３    コンデンサ
５１    電圧出力ライン
６１    電源端子
６２    リセット端子
６３    操作信号端子
６４、６５    制御信号端子
７１    電源端子
７２    信号出力端子
８１    抵抗（第１の抵抗）
８２    抵抗（第２の抵抗）
８３    シャントレギュレータ
８４    フォトカプラ
８４ａ    発光ダイオード
８４ｂ    フォトトランジスタ
８５、８６、８７    抵抗
【図１】
2012093978.tif 000003